(57)【要約】【課題】機能面及びコスト・環境面の双方においてメリットを享受できる情報処理装置を提供する。【解決手段】記録再生装置１は、ＡＶデータに対してエンコード処理、デコード処理を行う変換処理部１２と、変換処理部１２の処理により得られるデータ、変換処理部１２の処理に供するデータを格納するためのハードディスクドライブ１３とを備えており、変換処理部１２への電力供給を停止し、かつハードディスクドライブ１３への電力供給を行ったまま待機するクイック起動モードを利用できるものである。ここで、記録再生装置１は、電源ボタンが押されてから所定の時間が経過した時点でクイック起動モードを終了させ、低消費電力モードに移行させるクイック起動モード終了部１６をさらに備えている。【選択図】図１
2007172829.tif 000002
【特許請求の範囲】
【請求項１】
ＡＶデータに対してエンコード処理、デコード処理の少なくとも一方を行う変換処理部と、上記変換処理部の処理により得られるデータ、上記変換処理部の処理に供するデータの少なくとも一方を格納するためのスピンドル記憶装置とを備えた情報処理装置であって、上記スピンドル記憶装置への電力供給を行ったまま上記変換処理部への電力供給を停止して待機する待機モードを有する情報処理装置において、
上記待機モードとする複数の時間帯を選択肢としてユーザに提示し、ユーザによる選択を受け付けることにより、上記待機モードまたは上記待機モード以外のモードになる時間帯を設定するモード時間帯設定部と、
上記設定された時間帯に基づき、上記待機モードにするか否かを制御する待機モード制御部とをさらに備えていることを特徴とする情報処理装置。
【請求項２】
ＡＶデータに対してエンコード処理、デコード処理の少なくとも一方を行う変換処理部と、上記変換処理部の処理により得られるデータ、上記変換処理部の処理に供するデータの少なくとも一方を格納するためのスピンドル記憶装置とを備えた情報処理装置であって、上記スピンドル記憶装置への電力供給を行ったまま上記変換処理部への電力供給を停止して待機する待機モードを有する情報処理装置において、
上記待機モードにおける上記スピンドル記憶装置への電力供給を、情報処理装置を利用する可能性が低いことが示唆される環境条件に応答して停止させることによって、上記待機モードを終了させる待機モード終了部と、
他の機器との間で通信を行うための通信部と、
上記情報処理装置がパケットの送受信を検知可能な範囲の通信ネットワークに所属する機器に対して当該通信ネットワークを介して行われた操作を上記通信部を介して検出する操作検出部と
上記操作検出部が上記操作を検出した時刻を複数記憶する記憶部と、
上記記憶部に記憶された複数の時刻に基づいて、上記待機モードを終了させる時刻を算出する終了時刻算出部と
を備え、
上記待機モード終了部は、
上記操作検出部が最後に上記操作を検出した時点からの所定の時間の経過、
および、
上記終了時刻算出部によって算出された時刻
に基づいて、上記待機モードを終了させることを特徴とする情報処理装置。
【請求項３】
ＡＶデータに対してエンコード処理、デコード処理の少なくとも一方を行う変換処理部と、上記変換処理部の処理により得られるデータ、上記変換処理部の処理に供するデータの少なくとも一方を格納するためのスピンドル記憶装置とを備えた情報処理装置であって、上記スピンドル記憶装置への電力供給を行ったまま上記変換処理部への電力供給を停止して待機する待機モードを有する情報処理装置において、
上記待機モードにおける上記スピンドル記憶装置への電力供給を、情報処理装置を利用する可能性が低いことが示唆される環境条件に応答して停止させることによって、上記待機モードを終了させる待機モード終了部と、
他の機器との間で通信を行うための通信部と、
上記情報処理装置がパケットの送受信を検知可能な範囲の通信ネットワークに所属する機器に対して当該通信ネットワークを介して行われた操作を上記通信部を介して検出する操作検出部と
上記情報処理装置の温度又は上記情報処理装置の周辺の温度を取得する温度取得部と
を備え、
上記待機モード終了部は、
上記操作検出部が最後に上記操作を検出した時点からの所定の時間の経過、
および、
取得された上記温度が所定の値以上又は所定の値よりも大きいこと
に応答して、上記待機モードを終了させることを特徴とする情報処理装置。
【請求項４】
ＡＶデータに対してエンコード処理、デコード処理の少なくとも一方を行う変換処理部と、上記変換処理部の処理により得られるデータ、上記変換処理部の処理に供するデータの少なくとも一方を格納するためのスピンドル記憶装置とを備えた情報処理装置であって、上記スピンドル記憶装置への電力供給を行ったまま上記変換処理部への電力供給を停止して待機する待機モードを有する情報処理装置において、
上記待機モードにおける上記スピンドル記憶装置への電力供給を、情報処理装置を利用する可能性が低いことが示唆される環境条件に応答して停止させることによって、上記待機モードを終了させる待機モード終了部と、
他の機器との間で通信を行うための通信部と、
上記情報処理装置がパケットの送受信を検知可能な範囲の通信ネットワークに所属する機器に対して当該通信ネットワークを介して行われた操作を上記通信部を介して検出する操作検出部と
上記情報処理装置の周囲の輝度を取得する輝度取得部と
を備え、
上記待機モード終了部は、
上記操作検出部が最後に上記操作を検出した時点からの所定の時間の経過、
および、
取得された上記輝度が所定の値以下又は所定の値未満であること
に応答して、上記待機モードを終了させることを特徴とする情報処理装置。
【請求項５】
ＡＶデータに対してエンコード処理、デコード処理の少なくとも一方を行う変換処理部と、上記変換処理部の処理により得られるデータ、上記変換処理部の処理に供するデータの少なくとも一方を格納するためのスピンドル記憶装置とを備えた情報処理装置であって、上記スピンドル記憶装置への電力供給を行ったまま上記変換処理部への電力供給を停止して待機する待機モードを有する情報処理装置において、
上記待機モードにおける上記スピンドル記憶装置への電力供給を、情報処理装置を利用する可能性が低いことが示唆される環境条件に応答して停止させることによって、上記待機モードを終了させる待機モード終了部と、
他の機器との間で通信を行うための通信部と、
上記情報処理装置がパケットの送受信を検知可能な範囲の通信ネットワークに所属する機器に対して当該通信ネットワークを介して行われた操作を上記通信部を介して検出する操作検出部と
上記待機モードにおいて上記待機モード終了部を機能させるか否かを少なくとも選択可能な複数の選択肢を表示する表示部と、
上記表示部に表示された選択肢の中から１つの選択肢を選択するための入力を受け付ける入力部と、
上記変換処理部の停止が指示された際に、上記入力部によって選択された選択肢の内容に基づいて、上記待機モード終了部を機能させるか否かを制御する待機モード制御部と
を備え、
上記待機モード終了部は、上記操作検出部が最後に上記操作を検出した時点から所定の時間が経過した時点で上記待機モードを終了させることを特徴とする情報処理装置。
【請求項６】
ＡＶデータに対してエンコード処理、デコード処理の少なくとも一方を行う変換処理部と、上記変換処理部の処理により得られるデータ、上記変換処理部の処理に供するデータの少なくとも一方を格納するためのスピンドル記憶装置とを備えた情報処理装置であって、上記スピンドル記憶装置への電力供給を行ったまま上記変換処理部への電力供給を停止して待機する待機モードを有する情報処理装置において、
上記待機モードにおける上記スピンドル記憶装置への電力供給を、情報処理装置を利用する可能性が低いことが示唆される環境条件に応答して停止させることによって、上記待機モードを終了させる待機モード終了部と、
通信を行うための通信部と、
上記情報処理装置がパケットの送受信を検知可能な範囲の通信ネットワークに所属する機器に対して当該通信ネットワークを介して行われた操作を上記通信部を介して検出する操作検出部と、
上記操作検出部が上記操作を検出した時刻を複数記憶する記憶部と、
上記記憶部に記憶された複数の時刻に基づいて、上記待機モードを終了させる時刻を算出する終了時刻算出部とをさらに備え、
上記待機モード終了部が、上記終了時刻算出部によって算出された時刻に基づいて、上記待機モードを終了させることを特徴とする情報処理装置。
【請求項７】
請求項１から６の何れか１項に記載の情報処理装置を動作させるためのプログラムであって、コンピュータを各部として機能させるためのプログラム。
【請求項８】
請求項７に記載のプログラムが記録されたコンピュータ読み取り可能な記録媒体。
【請求項９】
ＡＶデータに対してエンコード処理、デコード処理の少なくとも一方を行う変換処理部と、上記変換処理部の処理により得られるデータ、上記変換処理部の処理に供するデータの少なくとも一方を格納するためのスピンドル記憶装置とを備えた情報処理装置であって、上記スピンドル記憶装置への電力供給を行ったまま上記変換処理部への電力供給を停止して待機する待機モードを有する情報処理装置の制御方法において、
モード時間帯設定部が、上記待機モードとする複数の時間帯を選択肢としてユーザに提示し、ユーザによる選択を受け付けることにより、上記待機モードまたは上記待機モード以外のモードになる時間帯を設定するモード時間帯設定ステップと、
待機モード制御部が、上記設定された時間帯に基づき、上記待機モードにするか否かを制御する待機モード制御ステップと
を含んでいることを特徴とする情報処理装置の制御方法。
【請求項１０】
ＡＶデータに対してエンコード処理、デコード処理の少なくとも一方を行う変換処理部と、上記変換処理部の処理により得られるデータ、上記変換処理部の処理に供するデータの少なくとも一方を格納するためのスピンドル記憶装置とを備えた情報処理装置であって、上記スピンドル記憶装置への電力供給を行ったまま上記変換処理部への電力供給を停止して待機する待機モードを有する情報処理装置の制御方法において、
待機モード終了部が、上記待機モードにおける上記スピンドル記憶装置への電力供給を、情報処理装置を利用する可能性が低いことが示唆される環境条件に応答して停止させることによって、上記待機モードを終了させる待機モード終了ステップと、
通信部が、他の機器との間で通信を行うための通信ステップと、
操作検出部が、上記情報処理装置がパケットの送受信を検知可能な範囲の通信ネットワークに所属する機器に対して当該通信ネットワークを介して行われた操作を上記通信部を介して検出する操作検出ステップとを含み、
上記待機モード終了ステップにおいて、上記操作検出部が最後に上記操作を検出した時点から所定の時間が経過した時点で上記待機モードを終了させることを特徴とする情報処理装置の制御方法。
【請求項１１】
ＡＶデータに対してエンコード処理、デコード処理の少なくとも一方を行う変換処理部と、上記変換処理部の処理により得られるデータ、上記変換処理部の処理に供するデータの少なくとも一方を格納するためのスピンドル記憶装置とを備えた情報処理装置であって、上記スピンドル記憶装置への電力供給を行ったまま上記変換処理部への電力供給を停止して待機する待機モードを有する情報処理装置の制御方法において、
待機モード終了部が、上記待機モードにおける上記スピンドル記憶装置への電力供給を、情報処理装置を利用する可能性が低いことが示唆される環境条件に応答して停止させることによって、上記待機モードを終了させる待機モード終了ステップと、
通信部が、通信を行うための通信ステップと、
操作検出部が、上記情報処理装置がパケットの送受信を検知可能な範囲の通信ネットワークに所属する機器に対して当該通信ネットワークを介して行われた操作を上記通信部を介して検出する操作検出ステップと、
上記操作検出部が上記操作を検出した時刻を複数記憶部に記憶する記憶ステップと、
終了時刻算出部が、上記記憶部に記憶された複数の時刻に基づいて、上記待機モードを終了させる時刻を算出する終了時刻算出ステップとを含み、
上記待機モード終了ステップにおいて、上記終了時刻算出部によって算出された時刻に基づいて、上記待機モードを終了させることを特徴とする情報処理装置の制御方法。
【発明の詳細な説明】
【技術分野】
【０００１】
本発明は、ＡＶデータの記録及び／又は再生を行う情報処理装置に関し、特に、待機モードが利用可能な情報処理装置に関するものである。また、本発明は、上記情報処理装置に用いられるプログラム、このプログラムを記録したコンピュータ読み取り可能な記録媒体、さらには、上記情報処理装置の制御方法に関するものでもある。
【背景技術】
【０００２】
映像信号や音声信号を取り扱うＡＶ機器などにおいて、電源スイッチがＯＦＦの状態からＯＮの状態へ切り換える際に、ＡＶ機器の起動に時間がかかり、ユーザが実際に使用できる状態になるまでに待たされることがある。
【０００３】
そこでＡＶ機器の中には、機器内部の主要な部分の電源をＯＮにした状態で待機するクイック起動モードを採用して、短い起動時間を達成しているものがある。
【０００４】
特に、長時間の記録が必要となる映像信号の記録再生を行うハードディスクレコーダーでは大容量メディアであるハードディスクを採用しているが、ハードディスクは内蔵するディスクの回転が開始してから回転が安定するのに要する時間や、読み書きしたいデータが収納されているディスク位置までヘッドを動かすために要する時間が長いため、機器の起動時間が長くなってしまうという問題が発生する。従って、これらの機器では、上述したクイック起動モードを採用している機器が多くなっている。この場合、クイック起動モードでは、ＨＤＤへの電力供給を保ったまま、各部への通電を停止することになる。
【０００５】
しかしながら、クイック起動モードは、起動時間を短くできるという機能面でのメリットがある反面、ハードディスクの電源を常時ＯＮにしておくため、消費電力の面や、騒音（回転音など）の面でデメリットがある。
【０００６】
このデメリットは、専用の機器設置スペースを確保できるビジネス環境ではあまり問題とならない場合もあるが、一般家庭など専用スペースを確保できないケースでは、機器設置場所がユーザのいる場所と近接していることによって、重大な問題になることがある。
【０００７】
そのため、クイック起動モードが利用可能な記録再生装置では、ユーザに対して、クイック起動モードを利用するか否かを設定できるようにして、クイック起動を行うか否かの判断をユーザに任せていた。
【特許文献１】特開平７−２１２６７８号公報（平成７年（１９９５）８月１１日公開）
【発明の開示】
【発明が解決しようとする課題】
【０００８】
しかしながら、クイック起動モードの設定が可能な従来の記録再生装置では、単にクイック起動モードのＯＮ／ＯＦＦ（有効／無効）を設定できるのみであった。従って、クイック起動モードを利用する場合は、機能面でのメリットを享受できるものの、消費電力や騒音の面では妥協せざるを得なかった。換言すれば、電力コストや環境を考慮しつつ、クイック起動モードのメリットを享受するための手段が用意されていなかった。
【０００９】
本発明は、上記の問題点に鑑みてなされたものであり、いわゆるクイック起動モードなどを含む待機モードが利用可能な情報処理装置において、機能面及びコスト・環境面の双方においてメリットを享受できる情報処理装置を提供することを目的とする。
【課題を解決するための手段】
【００１０】
上記課題を解決するために、本発明に係る情報処理装置は、ＡＶデータに対してエンコード処理、デコード処理の少なくとも一方を行う変換処理部と、上記変換処理部の処理により得られるデータ、上記変換処理部の処理に供するデータの少なくとも一方を格納するためのスピンドル記憶装置とを備えた情報処理装置であって、上記スピンドル記憶装置への電力供給を行ったまま上記変換処理部への電力供給を停止して待機する待機モードを有する情報処理装置において、上記待機モードにおける上記スピンドル記憶装置への電力供給を、所定の環境条件に応答して停止させることによって、上記待機モードを終了させる待機モード終了手段をさらに備えていることを特徴とする。
【００１１】
本発明に係る情報処理装置は、スピンドル記憶装置への電力供給を行ったまま変換処理部への電力供給を停止して待機する待機モードを有している。この待機モード時には変換処理部への電力供給が行われないので、エンコード処理やデコード処理を行う変換処理部による電力消費を抑制することができる。一方、スピンドル記憶装置に対しては電力供給が行われているため、待機モードから復帰する際に、スピンドル記憶装置の動作が安定するまでに長時間待つ必要がない。このように、本発明に係る情報処理装置が利用可能な待機モードは、消費電力を抑えつつ、かつ高速に復帰することが可能なモードであり、ユーザが一時的に使用を停止する際に好適に用いることができる。
【００１２】
このような待機モードが利用可能な本発明に係る情報処理装置は、待機モード終了手段を備えている。この待機モード終了手段は、待機モードにおけるスピンドル記憶装置への電力供給を停止させることによって待機モードを終了させるものであり、これにより、スピンドル記憶装置の電力消費を抑制するとともに、スピンドル記憶装置が発する騒音を防止することができる。
【００１３】
ここで、上記の待機モード終了手段は、待機モードの終了を所定の環境条件に応答して自動的に行う構成となっている。よって、ユーザが情報処理装置を待機モードにしたまま、例えば情報処理装置の近くから立ち去ったり、睡眠したりすることによって、情報処理装置の操作ができない状況であっても、上述した待機モード終了手段の機能により、情報処理装置は所定の環境条件に応答して自動的に待機モードからオフモードに移行する。これにより、情報処理装置を使用しないにも関わらず、スピンドル記憶装置が電力を消費し続けたり、騒音を発し続けたりするのを防止することができる。つまり、待機モードの利便性を保ちつつ、かつ、状況に応じて消費電力や騒音を防止することができる。
【００１４】
以上のように、本発明に係る情報処理装置は、機能面及びコスト・環境面の双方においてメリットを享受できるものとなっている。
【００１５】
また、本発明に係る情報処理装置は、上記待機モード終了手段が、上記変換処理部の停止が指示された時点から所定の時間が経過した時点で上記待機モードを終了させるものであってもよい。
【００１６】
上記構成によれば、情報処理装置は、変換処理部の停止がユーザなどによって指示された後、所定の時間が経過した時点で、自動的に待機モードからオフモードに移行することができる。
【００１７】
また、本発明に係る情報処理装置は、上記情報処理装置に対する操作を検出する操作検出部をさらに備え、上記待機モード終了手段が、上記操作検出部が最後に上記操作を検出した時点から所定の時間が経過した時点で上記待機モードを終了させるものであってもよい。
【００１８】
上記構成によれば、情報処理装置は、ユーザなどによる情報処理装置に対する操作が最後に検出された時点から所定の時間が経過した時点で、自動的に待機モードからオフモードに移行することができる。
【００１９】
また、本発明に係る情報処理装置は、上記情報処理装置の周辺に存在する機器に対してリモコン装置から送信される信号を検知することによって、上記機器に対する操作を検出する操作検出部をさらに備え、上記待機モード終了手段が、上記操作検出部が最後に上記操作を検出した時点から所定の時間が経過した時点で上記待機モードを終了させるものであってもよい。
【００２０】
上記構成によれば、操作検出部はリモコン装置から情報処理装置以外の他の機器に対して送信される信号を検知するものであり、これにより、ユーザなどが情報処理装置以外の他の機器に対して操作を行っていることを検出することができる。よって、情報処理装置は、情報処理装置の周辺に存在する他の機器に対する操作が最後に検出された時点から所定の時間が経過した時点で、自動的に待機モードからオフモードに移行することができる。
【００２１】
さらに、情報処理装置は、ユーザが情報処理装置を操作していなくても、周辺にある他の機器を操作している場合には、ユーザが近くにいると判断することができるため、ユーザが情報処理装置を再び操作するか否かの判定を正確に行うことができる。
【００２２】
また、本発明に係る情報処理装置は、他の機器との間で通信を行うための通信部と、上記情報処理装置と同一の通信ネットワークに所属する機器に対して当該通信ネットワークを介して行われた操作を上記通信部を介して検出する操作検出部とをさらに備え、上記待機モード終了手段が、上記操作検出部が最後に上記操作を検出した時点から所定の時間が経過した時点で上記待機モードを終了させるものであってもよい。
【００２３】
上記構成によれば、操作検出部は、情報処理装置と同一の通信ネットワークに所属する機器に対して、その通信ネットワークを介して行われた操作を通信部を介して検知するものであり、これにより、ユーザなどが情報処理装置以外の他の機器に対して操作を行っていることを検出することができる。よって、情報処理装置は、情報処理装置の周辺に存在する他の機器に対する操作が最後に検出された時点から所定の時間が経過した時点で、自動的に待機モードからオフモードに移行することができる。
【００２４】
さらに、情報処理装置は、ユーザが情報処理装置を操作していなくても、周辺にある他の機器を操作している場合には、ユーザが近くにいると判断することができるため、ユーザが情報処理装置を再び操作するか否かの判定を正確に行うことができる。
【００２５】
また、本発明に係る情報処理装置は、上記情報処理装置に対する操作を検出する操作検出部と、上記操作検出部が上記操作を検出した時刻を複数記憶する記憶手段と、上記記憶手段に記憶された複数の時刻に基づいて、上記待機モードを終了させる時刻を算出する終了時刻算出手段とをさらに備え、上記待機モード終了手段が、上記終了時刻算出手段によって算出された時刻に基づいて、上記待機モードを終了させるものであってもよい。
【００２６】
上記構成によれば、情報処理装置は、所定の時刻が到来すると、自動的に待機モードからオフモードに移行することができる。そして、所定の時刻は、以下のようにして決定される。
【００２７】
操作検出部は、リモコン装置から情報処理装置以外の他の機器に対して送信される信号を検知するものであり、これにより、ユーザなどが情報処理装置以外の周辺の他の機器に対して操作を行っていることを検出することができる。そして、記憶手段には、ユーザが周辺の他の機器の操作を行った時刻が複数格納される。ここで、記憶手段に格納された時刻の情報は、ユーザがどの時間帯に情報処理装置の近くにいて、どの時間帯に情報処理装置の近くにいないかを判断する材料になる。終了時刻算出手段は、この記憶手段に格納された時刻に基づいて、待機モードを終了させる時刻を算出する。従って、本発明に係る情報処理装置は、ユーザのライフスタイルにあわせて、待機モードからオフモードに移行するタイミングを決定することができる。
【００２８】
また、本発明に係る情報処理装置は、通信を行うための通信部と、上記情報処理装置と同一の通信ネットワークに所属する機器に対して当該通信ネットワークを介して行われた操作を上記通信部を介して検出する操作検出部と、上記操作検出部が上記操作を検出した時刻を複数記憶する記憶手段と、上記記憶手段に記憶された複数の時刻に基づいて、上記待機モードを終了させる時刻を算出する終了時刻算出手段とをさらに備え、上記待機モード終了手段は、上記終了時刻算出手段によって算出された時刻に基づいて、上記待機モードを終了させるものであってもよい。
【００２９】
上記構成によれば、情報処理装置は、所定の時刻が到来すると、自動的に待機モードからオフモードに移行することができる。そして、所定の時刻は、以下のようにして決定される。
【００３０】
操作検出部は、情報処理装置と同一の通信ネットワークに所属する機器に対して、その通信ネットワークを介して行われた操作を通信部を介して検知するものであり、これにより、ユーザなどが情報処理装置以外の他の機器に対して操作を行っていることを検出することができる。そして、記憶手段には、ユーザが周辺の他の機器の操作を行った時刻が複数格納される。ここで、記憶手段に格納された時刻の情報は、ユーザがどの時間帯に情報処理装置の近くにいて、どの時間帯に情報処理装置の近くにいないかを判断する材料になる。終了時刻算出手段は、この記憶手段に格納された時刻に基づいて、待機モードを終了させる時刻を算出する。従って、本発明に係る情報処理装置は、ユーザのライフスタイルにあわせて、待機モードからオフモードに移行するタイミングを決定することができる。
【００３１】
また、本発明に係る情報処理装置は、時刻を取得する時刻取得部をさらに備え、上記待機モード終了手段は、取得された上記時刻が所定の時刻になったことに応答して上記待機モードを終了させるものであってもよい。
【００３２】
上記構成によれば、情報処理装置は、所定の時刻が到来すると、自動的に待機モードからオフモードに移行することができる。
【００３３】
また、本発明に係る情報処理装置は、上記情報処理装置の温度又は上記情報処理装置の周辺の温度を取得する温度取得部をさらに備え、上記待機モード終了手段は、取得された上記温度が所定の値以上であることに応答して、又は取得された上記温度が所定の値よりも大きいことに応答して、上記待機モードを終了させることが好ましい。
【００３４】
上記構成によれば、情報処理装置は、情報処理装置の温度又は上記情報処理装置の周辺の温度が高くなった場合に、自動的に待機モードからオフモードに移行する。従って、情報処理装置の温度や情報処理装置の周辺の温度が高くなりすぎることにより、情報処理装置の各部材が故障したり、誤動作を起こしたりするのを防止することができる。
【００３５】
また、本発明に係る情報処理装置は、上記情報処理装置の周囲の輝度を取得する輝度取得部をさらに備え、上記待機モード終了手段は、取得された上記輝度が所定の値以下であることに応答して、又は取得された上記輝度が所定の値未満であることに応答して、上記待機モードを終了させることが好ましい。
【００３６】
上記構成によれば、情報処理装置は、情報処理装置の周囲の輝度が低くなった場合に、自動的に待機モードからオフモードに移行する。通常、ユーザが情報処理装置のある室内などから立ち去る場合や、情報処理装置の利用を終了して就寝する場合などには、室内の照明を消灯することが多い。従って、情報処理装置は、ユーザがこれらの行動をとった場合に、直ちに待機モードからオフモードに移行することができる。
【００３７】
また、本発明に係る情報処理装置は、上記変換処理部の停止が指示された際に、上記待機モードに移行する制御パターン、上記変換処理部及び上記スピンドル記憶装置への電力供給を停止するオフモードに移行する制御パターンを少なくとも含む複数の制御パターンの中から１つの制御パターンを選択する制御パターン選択手段と、上記スピンドル記憶装置の記憶領域の残容量を取得する残量取得部とをさらに備え、上記制御パターン選択手段が、取得された上記残容量が所定の容量未満の場合、又は取得された上記残容量が所定の容量以下の場合には、上記変換処理部の停止が指示された際に、上記オフモードに移行する制御パターンを選択することが好ましい。
【００３８】
ユーザなどによって変換処理部の停止が指示され、情報処理装置が上記待機モードに移行する場合、変換処理部などが保持している一時データをスピンドル記憶装置に一時的に退避させる必要がある場合が多い。このとき、スピンドル記憶装置の記憶領域の残容量が少ないと、退避させるデータの記録中に残容量がなくなってしまい、不具合が発生するおそれがある。
【００３９】
しかしながら、上記構成によれば、残容量が充分か否かが制御パターン選択手段によって判定され、残容量が不十分な場合には情報処理装置が待機モードを利用しない構成となっているため、上述した不具合を防止することができる。
【００４０】
また、本発明に係る情報処理装置は、上記待機モードにおいて上記待機モード終了手段を機能させるか否かを少なくとも選択可能な複数の選択肢を表示する表示部と、上記表示部に表示された選択肢の中から１つの選択肢を選択するための入力を受け付ける入力部と、上記変換処理部の停止が指示された際に、上記入力部によって選択された選択肢の内容に基づいて、上記待機モード終了手段を機能させるか否かを制御する待機モード制御手段とをさらに備えていることが好ましい。
【００４１】
上記構成によれば、待機モードを使用する場合に、所定の環境条件に応じて自動的に待機モードから低消費電力モードに移行させるか否かをユーザが選択することができる。
【００４２】
ところで、上記情報処理装置は、ハードウェアで実現してもよいし、プログラムをコンピュータに実行させることによって実現してもよい。具体的には、本発明に係るプログラムは、上記各手段としてコンピュータを動作させるプログラムであり、本発明に係る記録媒体には、当該プログラムが記録されている。
【００４３】
これらのプログラムがコンピュータによって実行されると、当該コンピュータは、上記情報処理装置の各手段として動作する。したがって、上記情報処理装置と同様に、機能面及びコスト・環境面の双方においてメリットを享受することができる。
【００４４】
また、上記課題を解決するために、本発明に係る情報処理装置の制御方法は、ＡＶデータに対してエンコード処理、デコード処理の少なくとも一方を行う変換処理部と、上記変換処理部の処理により得られるデータ、上記変換処理部の処理に供するデータの少なくとも一方を格納するためのスピンドル記憶装置とを備えた情報処理装置の制御方法であって、電源部が上記変換処理部への電力供給を停止させ、かつ上記スピンドル記憶装置への電力供給を行う待機モード移行ステップと、待機モード終了手段が、上記待機モード移行ステップによって電力供給を行っている上記スピンドル記憶装置への電力供給を、所定の環境条件に応答して停止させる待機モード終了ステップとを含んでいることを特徴とする。
【００４５】
従って、機能面及びコスト・環境面の双方においてメリットを享受できるよう情報処理装置を制御することができる。
【発明の効果】
【００４６】
以上のように、本発明に係る情報処理装置は、待機モードにおけるスピンドル記憶装置への電力供給を、所定の環境条件に応答して停止させることによって、待機モードを終了させる待機モード終了手段を備えた構成となっている。従って、上述したように、機能面及びコスト・環境面の双方においてメリットを享受することができるという効果を奏する。
【００４７】
また、本発明に係る情報処理装置の制御方法は、待機モード終了手段が、待機モード移行ステップによって電力供給を行っているスピンドル記憶装置への電力供給を、所定の環境条件に応答して停止させる待機モード終了ステップを含んだ構成となっている。従って、機能面及びコスト・環境面の双方においてメリットを享受できるよう情報処理装置を制御することができるという効果を奏する。
【発明を実施するための最良の形態】
【００４８】
（実施形態１）
本発明の一実施形態について図１から図６に基づいて説明すると以下の通りである。本実施形態の記録再生装置（情報処理装置）は、映像データや音声データを含むＡＶデータを処理するものであり、例えば、テレビジョン放送を受信し、これをエンコードして記憶装置に格納したり、記憶装置に格納されたＡＶデータをデコードし、これを表示装置に表示させたりするためのものである。そして、記録再生装置は、ＡＶデータを格納する記憶装置として、スピンドル記憶装置を採用している。
【００４９】
スピンドル記憶装置とは、回転するディスク媒体を用いる記憶装置のことをいい、例えば、磁気ディスクを内蔵するハードディスクドライブや、ＣＤ、ＣＤ−Ｒ、ＣＤ−ＲＷ、ＤＶＤ、ＤＶＤ±Ｒ、ＤＶＤ±ＲＷ、ＤＶＤ−ＲＡＭ、次世代ＤＶＤなどの光ディスクが挿入される光ディスクドライブ、さらには光磁気ディスク（ＭＯ）が挿入される光磁気ディスクドライブ（ＭＯドライブ）、フロッピー(登録商標)ディスクドライブなどを含む。本実施形態の記録再生装置は、これらのスピンドル記憶装置のうち、一例としてハードディスクドライブを備えているものとする。なお、スピンドル記憶装置は、本体内に内蔵されていてもよいし、外付けになっていてもよい。
【００５０】
図１は、本実施形態の記録再生装置１の機能構成を示すブロック図である。図１に示すように、記録再生装置１は、チューナー２１、変換処理部１２、ハードディスクドライブ（ＨＤＤ）１３、残量取得部２４、電源部１１、入力部（操作検出部）２２、タイマー１８、そして制御部１０を備えている。
【００５１】
制御部１０は、図示しないＣＰＵがプログラムを実行することによって実現される機能ブロックであり、詳細には、電源制御部１４、制御パターン選択部（制御パターン選択手段）１５、クイック起動モード終了部（待機モード終了手段）１６、クイック起動モード制御部（待機モード制御手段）１７、設定情報保持部１９、一般制御部２０、及び表示制御部２３を含んでいる。各部材について説明すると以下の通りである。
【００５２】
チューナー２１は、テレビジョン放送を受信するためのものである。ハードディスクドライブ１３は、ＡＶデータなどの各種データを格納するためのものであり、また、後述するクイック起動モードに移行する際に、退避データが記録されるためにも用いられる。残量取得部２４は、ハードディスクドライブ１３が有する記憶領域の残容量を取得するためのものである。
【００５３】
変換処理部１２は、ＡＶデータに対してエンコード処理、デコード処理の少なくとも一方を行うためのものであり、本実施形態では、エンコード処理及びデコード処理の双方を行っている。より詳細に説明すると、変換処理部１２は、チューナー２１によって受信したテレビジョン放送をＭＰＥＧ２方式などによってエンコードし、エンコードしたＡＶデータをハードディスクドライブ１３に格納する。また、その一方で、ハードディスクドライブ１３に格納されたＡＶデータを各種方式でデコードし、図１に示す表示装置（表示部）２に映像を表示させる。
【００５４】
これらチューナー２１、変換処理部１２、及びハードディスクドライブ１３によって、記録再生装置１はテレビジョン放送を録画したり再生したりすることができる。なお、チューナー２１、変換処理部１２、及びハードディスクドライブ１３等に対する制御は、一般制御部２０によって行われる。
【００５５】
そして、変換処理部１２及びハードディスクドライブ１３を含む各部へ電力を供給するのが、電源部１１である。なお、電源部１１は、変換処理部１２及びハードディスクドライブ１３に対する電力供給を個別に行うことができるようになっている。
【００５６】
電源部１１が変換処理部１２やハードディスクドライブ１３に電力を供給するか否かを制御するのが電源制御部１４である。電源制御部１４は、電源部１１を制御することによって、（１）変換処理部１２及びハードディスクドライブ１３の双方を含む全ての部材に電力を供給するオンモード、（２）変換処理部１２への電力供給を停止する一方でハードディスクドライブ１３への電力供給を行うクイック起動モード（待機モード）、（３）変換処理部１２及びハードディスクドライブ１３の双方への電力供給を停止する低消費電力モード（オフモード）の３つのモードを実現している。
【００５７】
なお、低消費電力モード（オフモード）では、上記の全ての部材に対する電力供給を停止してもよいが、一部の部材に対しては電力供給を行ったままでもよい。つまり、低消費電力モードでは、少なくとも、変換処理部１２及びハードディスクドライブ１３の双方への電力供給を停止していればよい。
【００５８】
なお、電源制御部１４が上述した３つのモードを切り換えるタイミングの１つとしては、ユーザによって入力部２２に指示が与えられたときが挙げられる。入力部２２は、複数のボタンやスイッチを備えており、ユーザによる各種指示を受け付けるためのものである。
【００５９】
入力部２２には、記録再生装置１のモード変更を指示する電源ボタンも備えられ、ユーザがこの電源ボタンを押すと、そのときの状況に応じて記録再生装置１のモードが変更される。例えば、低消費電力モードの際にユーザが電源ボタンを押した場合には、記録再生装置１は、低消費電力モードからオンモードに移行する。一方、オンモードの際にユーザが電源ボタンを押した場合には、記録再生装置１は、オンモードからクイック起動モードや低消費電力モードに移行する。また、クイック起動モードの際にユーザが電源ボタンを押した場合には、記録再生装置１は、オンモードに移行する。
【００６０】
制御パターン選択部１５は、オンモードの際にユーザが電源ボタンを押した場合に、どのような制御パターンに基づいて各モードを利用するかを決定するためのものである。本実施形態では、制御パターン選択部１５が選択可能な制御パターンとして、（ａ）無期限にクイック起動モードに移行する第１の制御パターンと、（ｂ）まずクイック起動モードに移行し、その後所定の時間が経過した時点で低消費電力モードに移行する第２の制御パターンと、（ｃ）直接低消費電力モードに移行する第３の制御パターンとの３つの制御パターンがある。
【００６１】
これらの３つの制御パターンのうち、実際に使用する制御パターンは、ユーザによって選択可能となっている。ユーザは、入力部２２を介して３つの制御パターンの中から１つを選択することができ、選択された制御パターンは、設定情報として設定情報保持部１９に格納される。制御パターン選択部１５は、設定情報保持部１９に記憶された設定情報に基づいて、上記３つの制御パターンの中から１つを選択する。
【００６２】
また本実施形態において、制御パターン選択部１５は、残量取得部２４によって取得された残容量が所定の容量未満の場合には、第３の制御パターンを強制的に選択し、記録再生装置１が直接低消費電力モードに移行するする構成となっている。これにより、ハードディスクドライブ１３の記憶領域の残容量が少ないにも関わらず退避データを書き込んだ結果、残容量が不足して不具合が発生してしまうのを防止できるようになっている。
【００６３】
クイック起動モード終了部１６は、クイック起動モードの際のハードディスクドライブ１３への電力供給を所定の環境条件に応答して停止させることによってクイック起動モードを終了し、記録再生装置１を低消費電力モードに移行させるものである。本実施形態では、クイック起動モード終了部１６は、ユーザが電源ボタンを押すことによって変換処理部１２の停止が指示された時点から、所定の時間が経過した時点でクイック起動モードを終了させる構成となっている。なお、クイック起動モード終了部１６は、クイック起動モードの際に、ハードディスクドライブ１３への電源供給も停止させるよう（すなわち低消費電力モードに移行させるよう）電源制御部１４に指示することによって、クイック起動モードの終了を実現している。
【００６４】
クイック起動モード制御部１７は、制御パターン選択部１５によって決定された制御パターンに基づいて、上記のクイック起動モード終了部１６を機能させるか否かを制御するものである。例えば、上記の第１の制御パターンや第３の制御パターンが選択された際には、クイック起動モード終了部１６による処理が必要とされないので、この場合、クイック起動モード制御部１７は、クイック起動モード終了部１６の機能を無効にする。一方、上記の第２の制御パターンが選択された場合には、クイック起動モード終了部１６の機能を有効にする。
【００６５】
表示制御部２３は、ユーザに対する各種情報を表示装置２に表示させるためのものである。本実施形態では、ユーザが入力部２２を介して上述した３つの制御パターンの中から所望の制御パターンを選択できる構成となっているが、表示制御部２３は、ユーザが選択を行う際に、それぞれの制御パターンに対応する選択肢を表示装置２に表示させる。
【００６６】
このような記録再生装置の処理工程について説明すると以下の通りである。まず、ユーザが上記の３つの制御パターンの中から所望の制御パターンを設定する工程について説明する。図２は、制御パターンを設定する工程を示すフロー図である。
【００６７】
まず、ユーザが入力部２２を介して、記録再生装置１に対して設定を行う旨の指示を与える。すると、表示制御部２３が表示装置２を制御することによって、表示装置２にメニュー画面が表示される（Ｓ１０１）。ここで、制御パターンの設定を行う旨の指示が記録再生装置１に対して与えられると、表示制御部２３が表示装置２を制御することによって、表示装置２に３つの制御パターンに対応する選択肢が表示される（Ｓ１０２）。図３は、表示の一例を示す図である。
【００６８】
本実施形態では、（あ）クイック起動する、（い）クイック起動する（１時間のみ有効）、（う）クイック起動しない、の３つの選択肢が表示される。ここで、（あ）は、オンモード時に電源ボタンが押されるとクイック起動モードに移行し、そのまま時間無制限にクイック起動モードを継続する制御パターンであり、上述した第１の制御パターンに相当する。（い）は、オンモード時に電源ボタンが押されるとクイック起動モードに移行し、電源ボタンが押されてから１時間経過した時点で低消費電力モードに移行する制御パターンであり、上述した第２の制御パターンに相当する。（う）は、オンモード時に電源ボタンが押されると直接低消費電力モードに移行する制御パターンであり、上述した第３の制御パターンに相当する。
【００６９】
ここで、ユーザが、入力部２２を介して３つの選択肢の中から何れか１つを選択すると（ステップＳ１０３）、表示制御部２３が表示装置２を制御することによって、選択された選択肢がハイライト表示される（ステップＳ１０４）。そして、ユーザによって選択された選択肢に対応する制御パターンが設定情報保持部１９に格納される（ステップＳ１０５）。そして、設定画面から抜け出し、通常の画面に戻る。
【００７０】
以上によって、オンモード時に電源ボタンが押された際に用いられる制御パターンの設定が終了する。次に、以上のようにして設定がなされた制御パターンに基づいて、各モードを切り換える工程について説明する。図４及び図５は、オンモード時に電源ボタンが押された場合に、各モードを切り換える処理工程を示すフロー図である。
【００７１】
まず、ユーザが電源ボタンを押すことによって当該処理がスタートすると、タイマー１８がカウントを開始する（Ｓ２０１）。次に、残量取得部２４が、ハードディスクドライブ１３の記憶領域における使用可能な記憶領域の容量（残容量）を取得し、取得した容量を制御パターン選択部１５に渡す（ステップＳ２０２）。
【００７２】
制御パターン選択部１５は、受け取った容量が閾値未満であるか否かを判定する（ステップＳ２０３）。ここで、容量が閾値未満であると判定した場合には、ステップＳ２０６に進み、制御パターン選択部は第３の制御パターンを選択し、電源制御部１４に低消費電力モードに移行するよう指示を与える。その結果、電源制御部１４は、電源部１１から変換処理部１２への電力供給と、電源部１１からハードディスクドライブ１３への電力供給とを停止させる。そして、処理を終了する。これにより、記録再生装置１は、低消費電力モードになる。
【００７３】
一方、ステップＳ２０３において容量が閾値以上であると判定した場合、制御パターン選択部１５は設定情報保持部１９を参照し、ユーザによって設定された制御パターンが上述した３つの制御パターンの何れであるかを判定する（ステップ２０４）。
【００７４】
ステップＳ２０４において、ユーザによって設定された制御パターンが第１の制御パターンである場合は、制御パターン選択部１５は第１の制御パターンを実際に制御に用いるパターンとして選択し、電源制御部１４にクイック起動モードに移行するよう指示を与える（Ｓ２０５）。その結果、電源制御部１４は、電源部１１から変換処理部１２への電力供給を停止する一方で、電源部１１からハードディスクドライブ１３への電力供給を維持する。
【００７５】
また、制御パターン選択部１５は、クイック起動モード制御部１７に、クイック起動モード終了部１６の機能を無効にするよう指示する。その結果、クイック起動モード終了部１６が無効化される。これにより、記録再生装置１は、時間無制限でクイック起動モードになる。そして、処理を終了する。
【００７６】
一方、ステップＳ２０４において、ユーザによって設定された制御パターンが第３の制御パターンである場合は、制御パターン選択部は第３の制御パターンを実際に制御に用いるパターンとして選択し、電源制御部１４に低消費電力モードに移行するよう指示を与える（Ｓ２０６）。その結果、電源制御部１４は、電源部１１から変換処理部１２への電力供給と、電源部１１からハードディスクドライブ１３への電力供給とを停止させる。これにより、記録再生装置１は、低消費電力モードになる。そして、処理を終了する。
【００７７】
また、ステップＳ２０４において、ユーザによって設定された制御パターンが第２の制御パターンである場合は、制御パターン選択部１５は第２の制御パターンを実際に制御に用いるパターンとして選択し、電源制御部１４にクイック起動モードに移行するよう指示を与える（Ｓ２０７）。その結果、電源制御部１４は、電源部１１から変換処理部１２への電力供給を停止する一方で、電源部１１からハードディスクドライブ１３への電力供給を維持する。これにより、記録再生装置１は、クイック起動モードに移行する。
【００７８】
また、制御パターン選択部１５は、クイック起動モード制御部１７に、クイック起動モード終了部１６の機能を有効にするよう指示する。これにより、クイック起動モード終了部１６がアクティブ化される。
【００７９】
次にクイック起動モード終了部１６は、電源ボタンがユーザによって押されたか否かを判定する（Ｓ２０８）。ここで、電源ボタンがユーザによって押されていた場合は、電源制御部１４に、電源部１１から変換処理部１２への電力供給と、電源部１１からハードディスクドライブ１３への電力供給とを開始させる。これにより、記録再生装置１はオンモードに移行する（Ｓ２０９）。そして処理を終了する。
【００８０】
一方、ステップＳ２０８において、電源ボタンがユーザによって押されていなかった場合は、ステップＳ２１０に進み、クイック起動モード終了部１６が、タイマー１８によるカウント値を参照し、参照したカウント値が閾値以上であるか否かを判定する。なお、本実施形態では、閾値が１時間となっているため、具体的には、参照したカウント値が１時間以上であるか否かを判定する。
【００８１】
ここで、カウント値が１時間未満である場合は、ステップＳ２０８に戻り、１時間以上になるまで判定を繰り返す。一方、ステップＳ２１０においてカウント値が１時間以上である場合は、クイック起動モード終了部１６が、電源制御部１４に対して低消費電力モードに移行するよう指示を与える（Ｓ２１１）。その結果、電源制御部１４は、電源部１１から変換処理部１２への電力供給と、電源部１１からハードディスクドライブ１３への電力供給とを停止させる。これにより、記録再生装置１は低消費電力モードになる。そして、処理を終了する。
【００８２】
以上のように、本実施形態の記録再生装置１は、ユーザが電源ボタンを押してからそのまま１時間経過すると、クイック起動モード終了部１６がハードディスクドライブへの電力供給を停止させることによって、クイック起動モードが終了する構成となっている。すなわち、記録再生装置１がクイック起動モードになっている状態であっても、ユーザが所定の時間使用しない状態が続くとクイック起動は必要ないと判断し、自動的に低消費電力モードに移行する。従って、ユーザが記録再生装置１を使用しないにも関わらず、常にハードディスクを稼動させることによる騒音や電力の浪費を抑制することができる。
【００８３】
なお、上記の所定の時間は１時間に限定されるものではなく、状況に応じて好適な時間を設定することができる。また、複数の候補をユーザに提示し、ユーザによって選択された時間を採用する構成としてもよい。
【００８４】
また、本実施形態の記録再生装置１は、変換処理部１２の停止が指示された際に、ハードディスクドライブ１３の残容量が所定の値未満の場合には、制御パターン選択部１５が直接低消費電力モードに移行させる第３の制御パターンを選択する構成となっている。これにより、以下の利点がもたらされる。
【００８５】
通常、クイック起動モードに移行するためには、変換処理部１２などにキャッシングされているデータなどを退避データとしてハードディスクドライブ１３に書き込む必要がある。ここで、ハードディスクドライブ１３の残容量が少ない場合、退避データの記録中に残容量がなくなってしまい、不具合が生じるおそれがある。しかしながら、本実施形態の上記構成によれば、残容量が少ない場合には、制御パターン選択部１５が自動的に第３の制御パターンを選択するようになる。従って、退避データの記録中に残容量がなくなってしまい、不具合が生じるのを防止することができる。
【００８６】
なお、上記の説明では、残容量が所定の容量未満の場合に制御パターン選択部１５が第３の制御パターンを選択する構成となっているが、本発明はこれに限定されず、残容量が所定の容量以下の場合に第３の制御パターンを選択する構成にしてもよいのはいうまでもない。
【００８７】
ところで、上記の構成では、ユーザが電源ボタンを押した時点から時間のカウントを開始したが、ユーザが記録再生装置１に対して最後に何らかの操作を与えた時点や、ユーザが記録再生装置の周辺にある他の機器に対して最後に何らかの操作を行った時点を基点として、時間のカウントを開始してもよい。
【００８８】
まず、ユーザが記録再生装置１に対して最後に何らかの操作を与えた時点を基点として時間のカウントを開始する構成について説明する。この場合、入力部２２は、記録再生装置に対するユーザの操作を検出する操作検出部としても機能する。なお、操作方法としては、赤外線などを用いたリモコン装置によるものであってもよいし、通信ネットワークを介したものであってもよいし、本体に設けられたボタンやスイッチなどによるものであってもよい。図６は、本変形例の処理工程を示すフロー図である。
【００８９】
本変形例では、図６に示すように、上述したステップＳ２０７の後、入力部２２がユーザによる操作を検出したか否かをクイック起動モード終了部１６が判定する（Ｓ３０１）。ここで、入力部２２がユーザによる操作を検出した場合は、クイック起動モード終了部１６がタイマー１８のカウントをリセットする（Ｓ３０２）。これにより、タイマー１８のカウントはゼロになる。一方、ステップＳ３０１においてユーザによる操作を検出しなかった場合は、タイマー１８のカウントをリセットせず、そのままステップＳ２０８に進む。
【００９０】
以上の処理により、ユーザが記録再生装置１に対して最後に操作を行った時点から、所定の時間が経過した時点で、記録再生装置１をクイック起動モードから低消費電力モードへ切り換えることができる。
【００９１】
次に、ユーザが記録再生装置１の周辺にある他の機器に対して最後に何らかの操作を行った時点を基点として、時間のカウントを開始する構成について説明する。この場合、他の機器としては、例えば記録再生装置１と同じ部屋や隣接する部屋にあるテレビ、ビデオ、エアコン、又はＰＣなどが挙げられる。
【００９２】
記録再生装置１に対して操作が行われていなくても、周辺の他の機器に対して操作が行われている場合は、ユーザが記録再生装置１の近くにいることになり、記録再生装置１を再び利用する可能性が高いことが示唆される。従って、周辺の他の機器に対する操作を逐次検出し、最後に操作を検出した時点から所定の時間が経過した時点するまでは、クイック起動モードを維持させることによって、記録再生装置１に対して、機能面でより優れた電力制御を行うことができる。
【００９３】
通常、上記の各種機器には、赤外線などを用いた無線信号送信手段によって遠隔操作ができるリモコン装置が備えられている場合が多い。従って、ここでは、周辺の他の機器に対してリモコン装置によって送信された赤外線などの無線信号を、記録再生装置１が検出する構成とする。
【００９４】
すなわち、記録再生装置１の入力部２２は、赤外線を受光する赤外線受光部を備えている。この赤外線受光部は、記録再生装置１以外の他の機器に対して送信された赤外線による無線信号を検知するものである。赤外線信号は機器固有のパターンで送信され、通常は目的の機器以外が検知することはないが、本実施形態の記録再生装置１では、入力部２２の赤外線受光部が他の機器用のパターンで送信された赤外線信号をキャッチできるようになっている。なお、赤外線受光部は、記録再生装置１を操作するための赤外線信号も受信する構成としてもよい。
【００９５】
このように、入力部２２の赤外線受光部は、各種機器用のリモコン装置から送信される赤外線信号を検知することによって、記録再生装置１の周辺に存在する他の機器に対する操作を検出する操作検出部として機能する。そして、図６に示す処理工程に従って処理を行うことによって、ユーザが記録再生装置１の周辺にある他の機器に対して最後に何らかの操作を行った時点を基点として、時間のカウントを開始する構成を実現することができる。
【００９６】
また、記録再生装置１は、赤外線信号による他の機器への操作を検出する代わりに、ネットワークを介した他の機器への操作を検出する構成としてもよい。この場合、記録再生装置１は、通信を行うための図示しない通信部を備え、ローカルエリアネットワーク（ＬＡＮ）、ＩＥＥＥ１３９４（別名、ｉ．ＬＩＮＫ、ＦｉｒｅＷｉｒｅ）などの通信ネットワークに接続されている。そして、記録再生装置１に接続された通信ネットワークには、他の機器も接続されている。
【００９７】
ここで、ユーザが或る端末装置から他の機器に対して操作を行うために通信ネットワークを介してパケットを送信すると、同一の通信ネットワークに所属する記録再生装置１の通信部がこのパケットを検知し、他の機器に対して操作が行われたことを検出する。つまり、記録再生装置１の通信部は、記録再生装置１と同一の通信ネットワークに所属する他の機器に対して、ユーザがその通信ネットワークを介して行った操作を検出する操作検出部としても機能する。そして、図６に示す処理工程に従って処理を行うことによって記録再生装置１と同一の通信ネットワークに所属する他の機器に対して、ユーザが最後に何らかの操作を行った時点を基点として、時間のカウントを開始する構成を実現することができる。
【００９８】
（実施形態２）
本発明の他の実施形態について図７から図９に基づいて説明すると以下の通りである。上述した実施形態１では、所定の時間が経過したことに応答して、クイック起動モード終了手段がクイック起動モードを終了させる構成となっていたが、本実施形態では、所定の時刻が到来したことに応答して、クイック起動モード終了手段がクイック起動モードを終了させる構成となっている。なお、上述した実施形態１と同様の部材については同一の部材番号を付し、その説明を省略する。
【００９９】
図７は、本実施形態の記録再生装置３の機能構成を示すブロック図である。なお、紙面の都合上、一部の機能ブロックについては省略する。本実施形態の記録再生装置３は、タイマー１８の代わりに時計部（時刻取得部）２５を備えている。時計部２５は、現在時刻を取得するためのものである。
【０１００】
本実施形態では、制御パターン選択部１５が選択可能な制御パターンとして、（ａ）無期限にクイック起動モードに移行する第１の制御パターンと、（ｂ）ユーザの設定した時間帯だけクイック起動モードに移行し、設定された時間帯を超過した時点で低消費電力モードに移行する第２の制御パターンと、（ｃ）直接低消費電力モードに移行する第３の制御パターンとの３つの制御パターンがある。
【０１０１】
これら３つの制御パターンのうち、実際に使用する制御パターンはユーザによって選択可能となっている。ユーザは、入力部２２を介して３つの制御パターンの中から１つを選択することができ、選択された制御パターンは、設定情報として設定情報保持部１９に格納される。図８は、設定画面の表示例を示す図である。
【０１０２】
図８に示すように、ユーザは、まず画面の上段で第１から第３の制御パターンの中からいずれかを選択する。ここで、第２の制御パターン選択された場合、画面の下段に、クイック起動モードを利用する時間帯の候補が表示され、ユーザは、これらの候補の中から、所望の時間帯を選択する。
【０１０３】
本実施形態では、図８に示すように、３つの時間帯の候補が選択肢として表示される。画面左側の選択肢は、ＡＭ７：００からＰＭ１２：００までの時間帯でクイック起動モードを利用するという選択肢であり、画面中央の選択肢は、ＰＭ６：００からＰＭ１２：００までの時間帯でクイック起動モードを利用するという選択肢であり、画面右側の選択肢は、ＰＭ９：００からＰＭ１２：００までの時間帯でクイック起動モードを利用するという選択肢である。以下、これらの３つの選択肢をそれぞれ設定１、設定２、設定３という。ユーザによって設定１，２，３の何れかが選択されると、選択された設定は、選択された制御パターンとともに設定情報保持部１９に保存される。
【０１０４】
設定１は、家に複数のユーザがいる場合や、昼間も在宅するユーザがいる場合で、夜寝ている間はクイック起動を必要としないようなケースに対してメリットがある設定例である。設定２や設定３は、家に単一ユーザしかいない上に、昼間は不在で、記録再生装置１を使用する時間帯が夜間に限定されているようなケースに対してメリットがある設定例である。もちろん、このように所定の時間帯の候補の中からの選択させる方法の他に、指定時間帯の開始及び終了時間をユーザに直接設定させる方法にしてもよい。
【０１０５】
次に、設定された時間帯を超過した時点でクイック起動モードを終了させる処理工程について説明する。図９は、オンモード時に電源ボタンが押された場合に、各モードを切り換える処理工程を示すフロー図である。なお、ステップＳ４０１までは、上述した実施形態１の図４に示すフローと同様である。
【０１０６】
設定された制御パターンが第２の制御パターンであった場合、制御パターン選択部１５は、設定情報保持部１９を参照し、ユーザによって設定されたクイック起動モードを行う時間帯を取得する（Ｓ４０１）。続いて制御パターン選択部１５は、現在の時刻を時計部２５から取得する（Ｓ４０２）。
【０１０７】
次に、制御パターン選択部１５は、取得した現在の時刻が、ユーザによって設定された時間帯に含まれるか否かを判定する（ステップＳ４０３）。ここで、否と判定した場合はステップＳ４０８に進み、制御パターン選択部１５は、電源制御部１４に低消費電力モードに移行するよう指示を与える。その結果、電源制御部１４は、電源部１１から変換処理部１２への電力供給と、電源部１１からハードディスクドライブ１３への電力供給とを停止させる。これにより、記録再生装置１は、低消費電力モードになる。そして、処理を終了する。
【０１０８】
一方、ステップＳ４０３において、取得した現在時刻が、ユーザによって設定された時間帯に含まれると判定した場合は、制御パターン選択部１５が、電源制御部１４にクイック起動モードに移行するよう指示を与える（Ｓ４０４）。その結果、電源制御部１４は、電源部１１から変換処理部１２への電力供給を停止する一方で、電源部１１からハードディスクドライブ１３への電力供給を維持する。これにより、記録再生装置１は、クイック起動モードに移行する。
【０１０９】
また、制御パターン選択部１５は、クイック起動モード制御部１７に、クイック起動モード終了部２６の機能を有効にするよう指示する。これにより、クイック起動モード終了部２６がアクティブ化される。
【０１１０】
クイック起動モードに移行した後、クイック起動モード終了部２６は、電源ボタンがユーザによって押されたか否かを判定する（Ｓ４０５）。ここで、電源ボタンがユーザによって押されたと判定した場合は、クイック起動モード終了部２６は、電源制御部１４に、電源部１１から変換処理部１２への電力供給と、電源部１１からハードディスクドライブ１３への電力供給とを開始させる。これにより、記録再生装置１はオンモードに移行する（Ｓ４０６）。そして処理を終了する。
【０１１１】
一方、ステップＳ４０５において、電源ボタンがユーザによって押されていないと判定した場合はステップＳ４０７に進み、クイック起動モード終了部２６が、時計部２５を参照することによって現在の時刻を取得する。
【０１１２】
そして、クイック起動モード終了部２６は、現在の時刻が、ユーザによって設定された時間帯に含まれるか否かを判定する（Ｓ４０８）。ここで、設定された時間帯に含まれると判定した場合は、ステップＳ４０５に戻る。一方、否と判定した場合は、クイック起動モード終了部２６が、電源制御部１４に低消費電力モードに移行するよう指示を与える（Ｓ２１１）。その結果、電源制御部１４は、電源部１１から変換処理部１２への電力供給と、電源部１１からハードディスクドライブ１３への電力供給とを停止させる。これにより、記録再生装置１は、低消費電力モードになる。そして、処理を終了する。
【０１１３】
以上のように、本実施形態の記録再生装置３は、ユーザが電源ボタンを押した後、ユーザが設定したクイック起動モードの利用時間帯の終りが到来すると、クイック起動モード終了部２６がハードディスクドライブへの電力供給を停止させることによって、クイック起動モードが終了する構成となっている。すなわち、記録再生装置３がクイック起動モードになっている状態であっても、ユーザが設定した時間帯を過ぎるとクイック起動は必要ないと判断し、自動的に低消費電力モードに移行する。従って、ユーザが記録再生装置３を使用しないにも関わらず、常にハードディスクを稼動させることによる騒音や電力の浪費を抑制することができる。
【０１１４】
また、クイック起動モードを利用する時間帯の設定については、ユーザが行う代わりに、記録再生装置３が自動的に行ってもよい。自動的に設定する方法としては、例えば、記録再生装置３や、記録再生装置３の周辺にある他の機器に対してユーザが操作を行った時刻を逐次記録しておき、記録された時刻情報から統計学的手法などに従って、クイック起動モードを利用する時間帯を設定することが挙げられる。
【０１１５】
この場合、記録再生装置３は、さらに、制御部１０の一部として、終了時刻算出部２７及び操作時刻記憶部２８を備えている。操作時刻記憶部２８は、記録再生装置３や、記録再生装置３の周辺にある他の機器に対してユーザが操作を行った時刻を記憶するためのものである。また、終了時刻算出部２７は、操作時刻記憶部２８に記憶された複数の操作時刻に基づいて、クイック起動モードを利用する時刻を算出するためのものである。そして、入力部２２は、上述した実施形態１と同様に操作検出部として機能する。
【０１１６】
入力部２２は、上述した第１の実施形態と同様に記録再生装置３や周辺の他の機器に対してユーザが操作したことを検出すると、そのときの時刻を時計部２５から取得し、取得した時刻を操作時刻記憶部２８に格納する。この処理を逐次行うことにより、操作時刻記憶部２８には、ユーザが記録再生装置１や周辺の他の機器に対して操作を行った時刻が蓄積されていく。
【０１１７】
例えばユーザが午前８時に出勤して午後７時に帰宅する場合、午前８時から午後７時までの間には、記録再生装置３や周辺の他の機器に対して操作が行われないため、操作時刻記憶部２８にもこれらの時刻が蓄積されない。一方、例えば午前７時から午前８時の間には、出勤前に記録再生装置３や周辺の他の機器に対して操作が行われるため、操作時刻記憶部２８にはこれらの時刻が蓄積される。
【０１１８】
終了時刻算出部２７は、操作時刻記憶部２８に蓄積されたこれらの時刻情報を解析し、ユーザがクイック起動を必要とする時間帯を算出する。上記の例であれば、例えば、午前８時までをクイック起動モードの時間帯に設定する。換言すれば、終了時刻算出部２７は、クイック起動モードを終了させる時刻として午前８時と算出する。
【０１１９】
そして、上述したステップＳ４０８において、クイック起動モード終了部２６は、終了時刻算出部２７によって算出された時刻が到来したか否かを判定し、これに基づいてクイック起動モードから低消費電力モードに移行するか否かを決定する。以上により、ユーザが過去に操作を行った時刻に基づいて、クイック起動モードを終了させる時刻を自動的に設定することができる。
【０１２０】
（実施形態３）
本発明のさらに他の実施形態について図１０から図１３に基づいて説明すると以下の通りである。上述した実施形態１では、所定の時間が経過したことのみに応答して、クイック起動モード終了部がクイック起動モードを終了させる構成となっていたが、本実施形態では、さらに、（ｉ）記録再生装置の周囲の輝度（一般的には室内）が所定の値以下になったこと、及び（ｉｉ）記録再生装置の温度が所定の値以上になったこと応答して、クイック起動モード終了部がクイック起動モードを終了させる構成となっている。なお、上述した実施形態１と同様の部材については同一の部材番号を付し、その説明を省略する。
【０１２１】
一般にユーザが室内から長時間離れる場合、室内の照明を消すものと考えられる。従って、本実施形態の記録再生装置は、室内の輝度が低い場合にはユーザが室内にいないと推定し、クイック起動モードから自動的に低消費電力モードに移行する。また、記録再生装置の温度が所定の温度よりも上昇した場合は、故障を防止するために、自動的に低消費電力モードに移行する構成となっている。
【０１２２】
図１０は、本実施形態の記録再生装置４の機能構成を示すブロック図である。本実施形態の記録再生装置３は、さらに輝度測定部２９及び温度測定部３０を備えている。輝度測定部２９は、記録再生装置４の筐体外側に設けられた照度計を有しており、記録再生装置４の周囲の輝度（照度）を測定するためのものである。また、温度測定部３０は、温度計を有しており、記録再生装置４の温度を測定するためのものである。なお、温度計の設置位置としては、例えば、記録再生装置１の内部の各部材の表面や、ハードディスクドライブ１３が外付けされている場合はハードディスクドライブ１３の表面などが挙げられる。
【０１２３】
本実施形態では、制御パターン選択部１５が選択可能な制御パターンとして、（ａ）無期限にクイック起動モードに移行する第１の制御パターンと、（ｂ）まずクイック起動モードに移行し、その後、時間経過、輝度変化、温度変化に応じて低消費電力モードに移行する第２の制御パターンと、（ｃ）直接低消費電力モードに移行する第３の制御パターンとの３つの制御パターンがある。
【０１２４】
実施形態１と同様に、これら３つの制御パターンのうち、実際に使用する制御パターンは、ユーザによって選択可能となっている。そして、第２の制御パターンを選択した場合は、ユーザは、輝度変化に応じた低消費電力モードへの移行を行うか否かと、温度変化に応じた低消費電力モードへの移行を行うか否かとをさらに選択することができる。図１１及び図１２は、設定画面の表示例を示す図である。
【０１２５】
第２の制御パターンが選択された後、図１１に示すように、ユーザは、輝度変化に応じてクイック起動モードから低消費電力モードに移行させるか否かを選択する。続いて、図１２に示すように、温度変化に応じてクイック起動モードから低消費電力モードに移行させるか否かを選択する。これらの選択結果は、設定情報として設定情報保持部１９に格納される。
【０１２６】
次に、時間経過、輝度変化、温度変化に応答してクイック起動モードを終了させる処理工程について説明する。図１３は、オンモード時に電源ボタンが押された場合に、各モードを切り換える処理工程を示すフロー図である。なお、ステップＳ５０１までは、上述した実施形態１の図４に示すフローと同様である。
【０１２７】
設定された制御パターンが第２の制御パターンであった場合、制御パターン選択部１５は第２の制御パターンを制御パターンとして選択し、電源制御部１４にクイック起動モードに移行するよう指示を与える。これにより、記録再生装置１は、クイック起動モードに移行する（Ｓ５０１）。
【０１２８】
また、制御パターン選択部１５は、クイック起動モード制御部１７に、クイック起動モード終了部３１の機能を有効にするよう指示する。これにより、クイック起動モード終了部３１がアクティブ化される。
【０１２９】
次にクイック起動モード終了部３１は、電源ボタンがユーザによって押されたか否かを判定する（Ｓ５０２）。ここで、電源ボタンがユーザによって押されたと判定した場合は、電源制御部１４に、電源部１１から変換処理部１２への電力供給と、電源部１１からハードディスクドライブ１３への電力供給とを開始させる。これにより、記録再生装置４はオンモードに移行する（Ｓ５０３）。そして処理を終了する。
【０１３０】
一方、ステップＳ５０２において、電源ボタンがユーザによって押されていないと判定した場合は、クイック起動モード終了部３１が、タイマー１８によるカウント値を参照し、参照したカウント値が閾値以上であるか否かを判定する（Ｓ５０４）。
【０１３１】
ここで、カウント値が閾値以上である場合、クイック起動モード終了部３１は、電源制御部１４に、低消費電力モードに移行するよう指示を与える。その結果、電源制御部１４は、電源部１１から変換処理部１２への電力供給と、電源部１１からハードディスクドライブ１３への電力供給とを停止させる。これにより、記録再生装置１は、低消費電力モードになる（Ｓ５０７）。そして、処理を終了する。
【０１３２】
一方、ステップＳ５０４において、カウント値が閾値未満である場合、クイック起動モード終了部３１は、輝度測定部２９から室内の輝度を取得し、取得した輝度が閾値よりも小さいか否かを判定する（Ｓ５０５）。ここで、輝度が閾値よりも小さい場合、その環境ではユーザが記録再生装置４を操作する可能性が低いと判断して、ステップＳ５０７に進み、記録再生装置１は低消費電力モードになる。なお、ステップＳ５０５では、取得した輝度が閾値以下であるか否かを判定してもよい。
【０１３３】
一方、ステッＳ５０５において、輝度が閾値以上である場合、クイック起動モード終了部３１は、温度測定部３０から現在の温度を取得し、現在の温度が閾値よりも大きいか否かを判定する（Ｓ５０６）。ここで、現在の温度が閾値よりも大きい場合、ステップＳ５０７に進み、記録再生装置１は装置の温度を上げないように低消費電力モードになる。一方、ステップＳ５０６において、現在の温度が閾値以下である場合は、ステップＳ５０２に戻り、上記のステップＳ５０２〜Ｓ５０７を反復する。なお、ステップＳ５０６では、現在の温度が閾値以上であるか否かを判定してもよい。
【０１３４】
なお、Ｓ５０５で室内の輝度値と比較する閾値としては、ユーザがいない場合といる場合とを判別できる値であることが好ましい。すなわち、室内の照明が点灯している場合と、点灯していない場合とを判別できる値であることが好ましい。
【０１３５】
また、Ｓ５０６で用いる閾値は、温度測定部３０の温度計が設置されている部材の保証温度に基づいて決定することができる。一般的に、各構成部材の温度が高温になればなるほど、各構成部材の動作に問題が発生する頻度が上昇したり、寿命が縮まったりする傾向にあるが、上記の構成によれば、クイック起動モードを継続することにより各構成部材の温度が異常に上昇するのを防止することができる。
【０１３６】
また、Ｓ５０５で用いる閾値やＳ５０６で用いる閾値は、時刻情報に基づいて、昼や夜などの時間帯に応じて変化させてもよい。
【０１３７】
ところで、ユーザが、図１１の画面で輝度変化に応じた低消費電力モードへの移行を行わないことを選択した場合は、上記のステップＳ５０５は省略される。同様に、ユーザが図１２の画面で温度変化に応じた低消費電力モードへの移行を行わないことを選択した場合は、上記のステップＳ５０６は省略される。この場合、ステップＳ５０５で否と判定されると、ステップＳ５０２に戻る。
【０１３８】
以上のように、クイック起動モードを終了させる条件として、時間経過、輝度変化、温度変化のうち、好適なものを組み合わせて用いることができる。
【０１３９】
なお、上記の説明では、温度測定部３０が記録再生装置４の温度を測定する構成としたが、本発明はこれに限定されず、温度測定部３０が室内の温度を測定するものであってもよい。
【０１４０】
また、記録再生装置１は、輝度測定部２９及び温度測定部３０の双方をほかの機能ブロックから独立した状態で内蔵している構成であったが、これに限定するものではなく、どちらか一方からの情報のみを制御に使用する場合は、それに該当するどちらか一方のみを内蔵する構成でもよいし、他の機能ブロック（例えば、電源部１１や変換処理部１２など）に内蔵されている構成でも構わない。
【０１４１】
以上のように、本実施形態の記録再生装置４は、クイック起動モード終了部３１が、輝度測定部２９から取得した輝度が所定の値以下（又は未満）であることに応答して、クイック起動モードを終了させる構成となっている。
【０１４２】
これにより、記録再生装置４は、輝度値が高い場合は、ユーザが記録再生装置４の設置されている部屋にいると判断し、クイック輝度モードを維持するとともに、輝度値が低くなった時点で、ユーザが記録再生装置４の設置されている部屋から退出した判断し、低電力消費モードに移行することになる。従って、クイック起動モードの制御を一層適切に行うことができる。
【０１４３】
また、本実施形態の記録再生装置４は、温度測定部３０から取得した温度が所定の値以上（又はよりも大きい）ことに応答して、クイック起動モードを終了させる構成となっている。これにより、記録再生装置の各部材が温度上昇によって故障するのを防止することができる。
【０１４４】
なお、本発明は、別の観点から見れば、スピンドル記憶装置への電力供給を行ったまま待機する待機モードを有する情報処理装置において、上記情報処理装置の周囲の輝度を取得する輝度取得部と、取得された上記輝度が所定の値以下であることに応答して、又は取得された上記輝度が所定の値未満であることに応答して、上記待機モードにおける上記スピンドル記憶装置への電力供給を停止し、上記待機モードを終了させる待機モード終了手段とを備えているともいえる。
【０１４５】
（補足）
最後に、各実施形態の記録再生装置１・３・４の各ブロック、特に電源制御部１４、制御パターン選択部１５、クイック起動モード終了部１６・２６・３１、クイック起動モード制御部１７、及び表示制御部２３は、ハードウェアロジックによって構成してもよいし、次のようにＣＰＵを用いてソフトウェアによって実現してもよい。
【０１４６】
すなわち、記録再生装置１・３・４は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラム及び各種データを格納するメモリ等の記憶装置（記録媒体）などを備えている。そして、本発明の目的は、上述した機能を実現するソフトウェアである記録再生装置１・３・４の制御プログラムのプログラムコード（実行形式プログラム、中間コードプログラム、ソースプログラム）をコンピュータで読み取り可能に記録した記録媒体を、上記記録再生装置１・３・４に供給し、そのコンピュータ（又はＣＰＵやＭＰＵ）が記録媒体に記録されているプログラムコードを読み出し実行することによっても、達成可能である。
【０１４７】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１４８】
また、記録再生装置１・３・４を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１４９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１５０】
本発明は、テレビジョン放送の録画再生を行うデジタルＡＶ機器などに好適に利用することができる。
【図面の簡単な説明】
【０１５１】
【図１】本発明の第１の実施形態を示すものであり、記録再生装置の機能構成を示すブロック図である。
【図２】本発明の第１の実施形態を示すものであり、制御パターンの設定工程を示すフロー図である。
【図３】本発明の第１の実施形態を示すものであり、制御パターンの設定画面の一例を示す図である。
【図４】本発明の第１の実施形態を示すものであり、電力供給に関する制御工程を示すフロー図である。
【図５】本発明の第１の実施形態を示すものであり、電力供給に関する制御工程を示すフロー図である。
【図６】本発明の第１の実施形態における変形例を示すものであり、電力供給に関する制御工程を示すフロー図である。
【図７】本発明の第２の実施形態を示すものであり、記録再生装置の機能構成を示すブロック図である。
【図８】本発明の第２の実施形態を示すものであり、制御パターンの設定画面の一例を示す図である。
【図９】本発明の第２の実施形態を示すものであり、電力供給に関する制御工程を示すフロー図である。
【図１０】本発明の第３の実施形態を示すものであり、記録再生装置の機能構成を示すブロック図である。
【図１１】本発明の第３の実施形態を示すものであり、制御パターンの設定画面の一例を示す図である。
【図１２】本発明の第３の実施形態を示すものであり、制御パターンの設定画面の一例を示す図である。
【図１３】本発明の第３の実施形態を示すものであり、電力供給に関する制御工程を示すフロー図である。
【符号の説明】
【０１５２】
１  記録再生装置
２  表示装置
３  記録再生装置
４  記録再生装置
１２  変換処理部
１３  ハードディスクドライブ（スピンドル記憶装置）
１５  制御パターン選択部（制御パターン選択手段）
１６  クイック起動モード終了部（待機モード終了手段）
１７  クイック起動モード制御部（待機モード制御手段）
２２  入力部（入力部、操作検出部）
２３  表示制御部（表示制御手段）
２４  残量取得部
２５  時計部（時刻取得部）
２６  クイック起動モード終了部（待機モード終了手段）
２７  終了時刻算出部（終了時刻算出手段）
２８  操作時刻記憶部（記憶手段）
２９  輝度測定部（輝度取得部）
３０  温度測定部（温度取得部）
３１  クイック起動モード終了部（待機モード終了手段）
【図１】
2007172829.tif 000003
【図２】
2007172829.tif 000004
【図３】
2007172829.tif 000005
【図４】
2007172829.tif 000006
【図５】
2007172829.tif 000007
【図６】
2007172829.tif 000008
【図７】
2007172829.tif 000009
【図８】
2007172829.tif 000010
【図９】
2007172829.tif 000011
【図１０】
2007172829.tif 000012
【図１１】
2007172829.tif 000013
【図１２】
2007172829.tif 000014
【図１３】
2007172829.tif 000015